(57)【特許請求の範囲】
【請求項１】
制御電極、高電位側電極、及び低電位側電極を有する主回路スイッチング素子と、
前記制御電極と前記高電位側電極との間に、電気的に接続される高電位側コンデンサと、
前記制御電極と前記低電位側電極との間に、電気的に接続される低電位側コンデンサと、
前記制御電極に電気的に接続され、容量を調整する容量調整スイッチング素子と、
前記主回路スイッチング素子、前記高電位側コンデンサ、及び、前記低電位側コンデンサを有する上アーム回路と、
前記主回路スイッチング素子、前記高電位側コンデンサ、及び、前記低電位側コンデンサを有し、前記上アーム回路に対して直列に接続される下アーム回路と、
前記容量調整スイッチング素子のオン、オフを制御するコントローラを備え、
前記容量調整スイッチング素子は、前記高電位側コンデンサ及び前記低電位側コンデンサのうち少なくともいずれか一方のコンデンサに対して直列に接続されており、
前記コントローラは、
前記上アーム回路及び前記下アーム回路のうちいずれか一方のアーム回路に含まれる前記主回路スイッチング素子をターンオフさせる場合には、
前記上アーム回路及び前記下アーム回路のうち他方のアーム回路に含まれる前記容量調整スイッチング素子の導通抵抗を、前記容量調整スイッチング素子のオン状態時の抵抗値と前記容量調整スイッチング素子のオフ状態時の抵抗値との間の抵抗値に設定するスイッチング回路装置。
【請求項２】
前記容量調整スイッチング素子は、前記制御電極と前記高電位側電極との間で、前記高電位側コンデンサに対して直列に接続されており、
前記コントローラは、
前記容量調整スイッチング素子をオンにした状態で、前記主回路スイッチング素子をターンオフさせる
請求項１記載のスイッチング回路装置。
【請求項３】
前記容量調整スイッチング素子は、前記制御電極と前記高電位側電極との間で、前記高電位側コンデンサに対して直列に接続されており、
前記コントローラは、
前記容量調整スイッチング素子をオンにした状態で、前記主回路スイッチング素子をターンオンさせる
請求項１又は２に記載のスイッチング回路装置。
【請求項４】
前記容量調整スイッチング素子は、前記制御電極と前記低電位側電極との間で、前記低電位側コンデンサに対して直列に接続されており、
前記コントローラは、
前記容量調整スイッチング素子をオフにした状態で、前記主回路スイッチング素子をターンオフさせる
請求項１又は２に記載のスイッチング回路装置。
【請求項５】
前記容量調整スイッチング素子は、前記制御電極と前記低電位側電極との間で、前記低電位側コンデンサに対して直列に接続されており、
前記コントローラは、
前記容量調整スイッチング素子をオフにした状態で、前記主回路スイッチング素子をターンオンさせる
請求項１又は２に記載のスイッチング回路装置。
【請求項６】
前記容量調整スイッチング素子は、第１容量調整スイッチング素子及び第２容量調整スイッチング素子を含み、
前記第１容量調整スイッチング素子は、前記制御電極と前記高電位側電極との間で、前記高電位側コンデンサに対して直列に接続されており、
前記第２容量調整スイッチング素子は、前記制御電極と前記低電位側電極との間で、前記低電位側コンデンサに対して直列に接続されている
請求項１記載のスイッチング回路装置。
【請求項７】
前記コントローラは、
前記第１容量調整スイッチング素子をオンにし、かつ、前記第２容量調整スイッチング素子をオフにした状態で、前記主回路スイッチング素子をターンオフさせる
請求項６記載のスイッチング回路装置。
【請求項８】
前記コントローラは、
前記第１容量調整スイッチング素子をオンにし、かつ、前記第２容量調整スイッチング素子をオフにした状態で、前記主回路スイッチング素子をターンオンさせる
請求項６又は７記載のスイッチング回路装置。
【請求項９】
前記容量調整スイッチング素子のオン、オフ、及び、前記主回路スイッチング素子のオン、オフを制御するコントローラを備え、
前記コントローラは、同じ制御信号により、前記容量調整スイッチング素子のスイッチング動作及び前記主回路スイッチング素子のスイッチング動作を制御する
請求項１〜８のいずれか一項に記載のスイッチング回路装置。
【請求項１０】
前記主回路スイッチング素子は、ワイドバンドギャップ半導体素子である
請求項１〜９のいずれか一項に記載のスイッチング回路装置。
【請求項１１】
前記容量調整スイッチング素子は、前記上アーム回路及び前記下アーム回路のそれぞれの回路において、前記制御電極と前記高電位側電極との間で、前記高電位側コンデンサに対して直列に接続されており、
前記コントローラは、
前記上アーム回路及び前記下アーム回路のうちいずれか一方のアーム回路に含まれる前記主回路スイッチング素子をターンオフさせる場合には、
前記上アーム回路及び前記下アーム回路のうち他方のアーム回路に含まれる前記容量調整スイッチング素子を、オフ状態からオン状態に切り替わるまでの過渡状態にする
請求項１記載のスイッチング回路装置。
【請求項１２】
前記容量調整スイッチング素子は、前記上アーム回路及び前記下アーム回路のそれぞれの回路において、前記制御電極と前記高電位側電極との間で、前記高電位側コンデンサに対して直列に接続されており、
前記コントローラは、
前記上アーム回路及び前記下アーム回路のうちいずれか一方のアーム回路に含まれる前記主回路スイッチング素子をターンオフさせる場合には、
前記一方のアーム回路に含まれる前記容量調整スイッチング素子をオン状態で維持させる
請求項１又は１１記載のスイッチング回路装置。
【請求項１３】
前記容量調整スイッチング素子は、前記上アーム回路及び前記下アーム回路のそれぞれの回路において、前記制御電極と前記高電位側電極との間で、前記高電位側コンデンサに対して直列に接続されており、
前記コントローラは、
前記上アーム回路及び前記下アーム回路のうちいずれか一方のアーム回路に含まれる前記主回路スイッチング素子をターンオンさせる場合には、
前記一方のアーム回路に含まれる前記容量調整スイッチング素子をオン状態で維持させ、かつ、前記上アーム回路及び前記下アーム回路のうち他方のアーム回路に含まれる前記容量調整スイッチング素子をオフ状態で維持させる
請求項１、１１、１２のいずれか一項に記載のスイッチング回路装置。
【請求項１４】
前記容量調整スイッチング素子は、前記上アーム回路及び前記下アーム回路のそれぞれの回路において、前記制御電極と前記低電位側電極との間で、前記低電位側コンデンサに対して直列に接続されており、
前記コントローラは、
前記上アーム回路及び前記下アーム回路のうちいずれか一方のアーム回路に含まれる前記主回路スイッチング素子をターンオフさせる場合には、
前記上アーム回路及び前記下アーム回路のうち他方のアーム回路に含まれる前記容量調整スイッチング素子を、オン状態からオフ状態に切り替わるまでの過渡状態にする
請求項１記載のスイッチング回路装置。
【請求項１５】
前記容量調整スイッチング素子は、前記上アーム回路及び前記下アーム回路のそれぞれの回路において、前記制御電極と前記低電位側電極との間で、前記低電位側コンデンサに対して直列に接続されており、
前記コントローラは、
前記上アーム回路及び前記下アーム回路のうちいずれか一方のアーム回路に含まれる前記主回路スイッチング素子をターンオフさせる場合には、
前記一方のアーム回路に含まれる前記容量調整スイッチング素子をオフ状態で維持させる
請求項１又は１４記載のスイッチング回路装置。
【請求項１６】
前記容量調整スイッチング素子は、前記上アーム回路及び前記下アーム回路のそれぞれの回路において、前記制御電極と前記低電位側電極との間で、前記低電位側コンデンサに対して直列に接続されており、
前記コントローラは、
前記上アーム回路及び前記下アーム回路のうちいずれか一方のアーム回路に含まれる前記主回路スイッチング素子をターンオンさせる場合には、
前記一方のアーム回路に含まれる前記容量調整スイッチング素子をオフにした状態で維持させ、かつ、前記上アーム回路及び前記下アーム回路のうち他方のアーム回路に含まれる前記容量調整スイッチング素子をオン状態で維持させる
請求項１又は１５記載のスイッチング回路装置。
【発明の詳細な説明】
【技術分野】
【０００１】
本発明は、スイッチング回路装置に関するものである。
【背景技術】
【０００２】
ＩＧＢＴなどのスイッチング素子（Ｔ）のゲート−エミッタ間にキャパシタを集積化させ、又は、ゲート基板にキャパシタを形成することにより、ゲート抵抗ＲＧの抵抗値を低くしても、過大なｄＩ／ｄｔ、ｄＶ／ｄｔを発生しないようにする半導体装置が開示されている（特許文献１）。
【先行技術文献】
【特許文献】
【０００３】
【特許文献１】特開２００４−１４５４７号公報
【発明の概要】
【発明が解決しようとする課題】
【０００４】
しかしながら、上記半導体装置の回路構成では、スイッチング速度の高速化に伴って発生するノイズを十分に抑制できないという問題がある。
【０００５】
本発明が解決しようとする課題は、スイッチング速度の高速化に伴って発生するノイズを抑制できるスイッチング回路装置を提供することである。
【課題を解決するための手段】
【０００６】
本発明は、主回路スイッチング素子の制御電極と高電位側電極との間に、高電位側コンデンサを電気的に接続し、主回路スイッチング素子の制御電極と低電位側電極との間に、低電位側コンデンサを電気的に接続し、制御電極に電気的に接続される容量調整スイッチング素子を、高電位側コンデンサ及び低電位側コンデンサのうち少なくともいずれか一方のコンデンサに対して直列に接続することによって上記課題を解決する。
【発明の効果】
【０００７】
本発明によれば、容量調整スイッチング素子のスイッチング制御により、主回路スイッチング素子が駆動するときの容量を調整できるため、サージの低減によりノイズの発生を抑制できるという効果を奏する。
【図面の簡単な説明】
【０００８】
【図１】本発明の実施形態に係るスイッチング回路装置の回路図である。
【図２】図１に示すスイッチング回路装置において、主回路スイッチング素子の動作のタイムチャート、及び、切替用スイッチング素子の動作のタイムチャートを示すグラフである。
【図３】本発明の他の実施形態に係るスイッチング回路装置の回路図である。
【図４】図３に示すスイッチング回路装置において、主回路スイッチング素子の動作のタイムチャート、及び、切替用スイッチング素子の動作のタイムチャートを示すグラフである。
【図５】本発明の他の実施形態に係るスイッチング回路装置の回路図である。
【図６】図５に示すスイッチング回路装置において、主回路スイッチング素子の動作のタイムチャート、及び、切替用スイッチング素子の動作のタイムチャートを示すグラフである。
【図７】本発明の他の実施形態に係るスイッチング回路装置の回路図である。
【図８】図７に示すスイッチング回路装置において、主回路スイッチング素子の動作のタイムチャート、及び、切替用スイッチング素子の動作のタイムチャートを示すグラフである。
【図９】本発明の他の実施形態に係るスイッチング回路装置の回路図である。
【図１０】図９に示すスイッチング回路装置において、主回路スイッチング素子の動作のタイムチャート、及び、切替用スイッチング素子の動作のタイムチャートを示すグラフである。
【図１１】本発明の他の実施形態に係るスイッチング回路装置の回路図である。
【図１２】図１１に示すスイッチング回路装置において、主回路スイッチング素子の動作のタイムチャート、及び、切替用スイッチング素子の動作のタイムチャートを示すグラフである。
【図１３】本発明の他の実施形態に係るスイッチング回路装置の回路図である。
【図１４】本発明の他の実施形態に係るスイッチング回路装置の回路図である。
【発明を実施するための形態】
【０００９】
以下、本発明の実施形態を図面に基づいて説明する。
【００１０】
《第１実施形態》
図１は、本発明の実施形態に係るスイッチング回路装置の回路図である。本実施形態に係るスイッチング回路装置は、電力変換回路等に含まれるスイッチング素子を駆動するための駆動回路であって、電力変換装置等の装置に適用される。
【００１１】
スイッチング回路装置は、主回路スイッチング素子１、コンデンサ２、コンデンサ３、切替用スイッチング素子４、信号発生器１０、及びコントローラ２０を備えている。
【００１２】
主回路スイッチング素子１は、主回路を構成する回路素子である。主回路は、スイッチング素子回路装置に適用される装置の主要部分の回路である。例えば、スイッチング回路装置を電力変換装置に適用した場合には、主回路スイッチング素子１は、電力変換回路に含まれるスイッチング素子に相当する。主回路スイッチング素子１は、制御電極、高電位側電極、及び低電位側電極を有している。制御電極は、制御信号を送信する配線により、信号発生器１０に接続されている。高電位側電極及び低電位側電極は、主回路用の配線に接続されている。
【００１３】
主回路スイッチング素子１は、ＭＯＳＦＥＴ等の半導体素子である。なお、本実施形態では、主回路スイッチング素子１にＭＯＳＦＥＴが使用されており、制御電極はゲート端子Ｇに相当し、高電位側電極はドレイン端子Ｄに相当し、低電位電極はソース端子Ｓに相当する。また、主回路スイッチング素子１には、ＳｉＣやＧａＮ等のワイドバンドギャップ半導体が用いられる。これにより、高速スイッチング動作を可能としつつ、スイッチング損失を低減できる。
【００１４】
コンデンサ２は、主回路スイッチング素子１のゲート−ドレイン間の容量を調整するためのコンデンサである。コンデンサ２は、ゲート端子Ｇとドレイン端子Ｄとの間に、電気的に接続されている。
【００１５】
コンデンサ３は、主回路スイッチング素子１のゲート−ソース間の容量を調整するためのコンデンサである。コンデンサ３は、ゲート端子Ｇとソース端子Ｓとの間に、電気的に接続されている。コンデンサ２の容量は、コンデンサ３の容量より大きい。
【００１６】
切替用スイッチング素子４は、主回路スイッチング素子１のゲート容量を調整するためのスイッチング素子である。また、切替用スイッチング素子４は、主回路スイッチング素子１のゲート−ドレイン間に接続されたバイパスラインの導通及び遮断を切り替えるためのスイッチ素子である。バイパスラインは、コンデンサ２を含み、主回路スイッチング素子１のゲート端子Ｇとドレイン端子Ｄとの間を接続する。切替用スイッチング素子４は、主回路スイッチング素子１のゲート端子Ｇとドレイン端子Ｄとの間で、コンデンサ２に対して直列に接続されている。切替用スイッチング素子４は、ＭＯＳＦＥＴ等の半導体素子である。なお、本実施形態では、切替用スイッチング素子４にＭＯＳＦＥＴが使用されている。切替用スイッチング素子４のゲート端子は、信号発生器１０に配線で接続されている。
【００１７】
主回路スイッチング素子１のドレイン−ソース間の電流経路のソース側には、信号発生器１０のグランド用の配線が接続されている。
【００１８】
信号発生器１０は、コントローラ２０の制御に基づき、スイッチング信号を生成して、当該スイッチング信号を、主回路スイッチング素子１のゲート端子及び切替用スイッチング素子４のゲート端子に送信する。
【００１９】
コントローラ２０は、主回路スイッチング素子１のオン、オフと、切替用スイッチング素子４のオン、オフを切り替える制御回路である。
【００２０】
次に、本実施形態に係るスイッチング回路装置の動作について、図２を用いて説明する。図２は、主回路スイッチング素子１の動作のタイムチャート、及び、切替用スイッチング素子４の動作のタイムチャートを示すグラフである。図２のグラフの横軸は時間を示し、縦軸は各スイッチング素子の状態を示している。
【００２１】
初期状態として、主回路スイッチング素子１はオン状態であり、切替用スイッチング素子４はオン状態である。時間ｔ１の時点で、コントローラ２０は、切替用スイッチング素子４をオン状態で維持しつつ、主回路スイッチング素子１をターンオフさせる。
【００２２】
切替用スイッチング素子４をオンにした状態では、主回路スイッチング素子１のドレイン−ゲート間がコンデンサ２を介して導通した状態となるため、ドレイン−ゲート間の容量が大きくなる。そのため、主回路スイッチング素子１のターンオフ時に、コンデンサ２を含むバイパスラインが微分回路として作用する。この微分回路によって、ドレイン−ソース間の電圧変化に対して、ゲート電圧の低下が抑制される。主回路スイッチング素子１のターンオフ時には、高速なスイッチング動作によってドレイン−ソース間の電圧変化量が大きくなるが、ドレイン−ゲート間の微分回路の作用によってゲートの電荷の放電が抑制される。これにより、スイッチング速度が抑制され、サージの発生が抑制される。
【００２３】
時間ｔ１から時間ｔ２までの間に、コントローラ２０は、切替用スイッチング素子４をオンからオフに切り替える。
【００２４】
時間ｔ３の直前に、コントローラ２０は、主回路スイッチング素子１のオフ状態を維持しつつ、切替用スイッチング素子４のオン動作を開始する。時間ｔ３の時点で、切替用スイッチング素子４は、オフからオンへの過渡状態である。過渡状態は、スイッチング素子のオン状態の開始からスイッチング素子のオン状態になるまでの過渡的な状態（遷移状態）を示している。切替用スイッチング素子４のオン動作は、時間ｔ３から時間ｔ４の間に終了する。
【００２５】
時間ｔ４の時点で、コントローラ２０は、切替用スイッチング素子４をオン状態で維持しつつ、主回路スイッチング素子１をターンオンさせる。
【００２６】
主回路スイッチング素子１のゲート−ソース間の電圧は、主回路スイッチング素子１のゲート−ドレイン間の容量と主回路スイッチング素子１のゲート−ソース間の容量との容量比に分圧された電圧となる。主回路スイッチング素子１をターンオンさせる時に、切替用スイッチング素子４はオンになっているため、ゲート−ドレイン間の容量は、切替用スイッチング素子４のオフ時の容量と比較して、大きくなる。そのため、ドレイン−ソース間の容量比で分圧されたゲート−ソース間の電圧が高くなる。これにより、主回路スイッチング素子１のターンオン時に、スイッチング速度が高速化し、スイッチング損失が低減される。
【００２７】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１及び切替用スイッチング素子４を制御する。なお、時間ｔ８以降のスイッチング制御は、時間ｔ１、ｔ２、ｔ３、ｔ４と同様である。
【００２８】
上記のように、本実施形態では、主回路スイッチング素子１の制御電極と高電位側電極との間にコンデンサ２を電気的に接続し、主回路スイッチング素子１の制御電極と低電位側電極との間にコンデンサ３を電気的に接続し、主回路スイッチング素子１の制御電極に切替用スイッチング素子４を電気的に接続しつつ、コンデンサ２に対して直列に切替用スイッチング素子４を接続している。これにより、主回路スイッチング素子１を駆動させる際に、切替用スイッチング素子４のスイッチング制御によって、主回路スイッチング素子１のゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【００２９】
ところで、主回路スイッチング素子１のスイッチング速度を高めた場合には、主回路の共振ノイズが発生し易い。本実施形態では、ゲート−ドレイン間に接続されたコンデンサ２と切替用スイッチング素子４との直列回路により、ノイズ発生源となるサージを抑制できる。また、本実施形態に係るスイッチング制御装置は、発生した共振ノイズを吸収できる。その結果として、ノイズを抑制することができる。
【００３０】
また本実施形態では、主回路スイッチング素子１に、酸化膜等の絶縁膜を有したゲート構造をもつ素子（例えばＭＯＳＦＥＴ等）を用いている。このような構造では、寄生容量等によりゲート電圧が高電位になり易いが、上記の回路構成によって、ゲート電位を抑制することができる。その結果として、ゲート構造に含まれる絶縁膜を保護することができる。
【００３１】
また本実施形態では、切替用スイッチング素子４をオンにした状態で、主回路スイッチング素子１をターンオフさせる。これにより、主回路スイッチング素子１のゲート−ソース間の容量が大きくなるため、微分回路により、主回路スイッチング素子１のドレイン−ソース間の電圧変化に対して主回路スイッチング素子１のゲート電圧の低下が抑制される。その結果として、一定の速度以上のスイッチング動作を抑制しつつ、サージの発生を抑制しノイズを抑制できる。
【００３２】
また本実施形態では、切替用スイッチング素子４をオンにした状態で、主回路スイッチング素子１をターンオンさせる。これにより、主回路スイッチング素子１のゲート−ドレイン間の容量が大きくなり、主回路スイッチング素子１をターンオンさせる際に、ゲート−ソース間の電圧が高くなるため、ターンオン時のスイッチング速度を高速化させることができ、スイッチング素子の損失を低減できる。
【００３３】
また本実施形態では、コンデンサ２の容量がコンデンサ３の容量より大きくなっている。これにより、主回路スイッチング素子１のターンオフ時に、サージの発生を抑制できる。
【００３４】
上記のコンデンサ２が本発明の「高電位側コンデンサ」に相当し、コンデンサ３が本発明の「低電位側コンデンサ」に相当し、切替用スイッチング素子４が本発明の「容量調整スイッチング素子」に相当する。
【００３５】
《第２実施形態》
図３は、発明の他の実施形態に係るスイッチング回路装置の回路図である。本例では上述した第１実施形態に対して、切替用スイッチング素子４の接続位置と、コンデンサ２、３の容量が異なる。これ以外の構成は上述した第１実施形態と同じであり、その記載を援用する。
【００３６】
コンデンサ２、３の接続位置は、第１実施形態に係るスイッチング回路装置と同様である。コンデンサ３の容量は、コンデンサ２の容量より大きい。
【００３７】
切替用スイッチング素子４は、主回路スイッチング素子１のゲート端子Ｇとソース端子Ｓとの間で、コンデンサ３に対して直列に接続されている。
【００３８】
次に、本実施形態に係るスイッチング回路装置の動作について、図３を用いて説明する。図３は、主回路スイッチング素子１の動作のタイムチャート、及び、切替用スイッチング素子４の動作のタイムチャートを示すグラフである。図３のグラフの横軸は時間を示し、縦軸は各スイッチング素子の状態を示している。
【００３９】
初期状態として、主回路スイッチング素子１はオン状態であり、切替用スイッチング素子４はオフ状態である。時間ｔ１の時点で、コントローラ２０は、切替用スイッチング素子４をオフ状態で維持しつつ、主回路スイッチング素子１をターンオフさせる。
【００４０】
切替用スイッチング素子４をオフにした場合には、ゲート−ソース間の容量が小さくなり、主回路スイッチング素子１のターンオン時に、コンデンサ２を含むバイパスラインが微分回路として作用する。この微分回路によって、ドレイン−ソース間の電圧変化に対して、ゲート電圧の低下が抑制される。主回路スイッチング素子１のターンオフ時には、高速なスイッチング動作によってドレイン−ソース間の電圧変化量が大きくなるが、ドレイン−ゲート間の微分回路の作用によってゲートの電荷の放電が抑制される。これにより、スイッチング速度が抑制され、サージの発生が抑制される。
【００４１】
時間ｔ１から時間ｔ２までの間に、コントローラ２０は、切替用スイッチング素子４をオフからオンに切り替える。
【００４２】
時間ｔ３の直前に、コントローラ２０は、主回路スイッチング素子１のオフ状態を維持しつつ、切替用スイッチング素子４のオフ動作を開始する。時間ｔ３の時点で、切替用スイッチング素子４は、オンからオフへの過渡的な状態である。過渡状態は、スイッチング素子のオフ状態の開始からスイッチング素子のオフ状態になるまでの状態（遷移状態）を示している。切替用スイッチング素子４のオフ動作は、時間ｔ３から時間ｔ４の間に終了する。
【００４３】
時間ｔ４の時点で、コントローラ２０は、切替用スイッチング素子４をオフ状態で維持しつつ、主回路スイッチング素子１をターンオンさせる。
【００４４】
主回路スイッチング素子１をターンオンさせる時に、切替用スイッチング素子４はオフになっているため、ゲート−ソース間の容量は、切替用スイッチング素子４のオン時の容量と比較して、小さくなる。そのため、ドレイン−ソース間の容量比で分圧されたゲート−ソース間の電圧が高くなる。これにより、主回路スイッチング素子１のターンオン時に、スイッチング速度が高速化し、スイッチング損失が低減される。
【００４５】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１及び切替用スイッチング素子４を制御する。なお、時間ｔ８以降のスイッチング制御は、時間ｔ１、ｔ２、ｔ３、ｔ４と同様である。
【００４６】
上記のように、本実施形態では、主回路スイッチング素子１の制御電極に切替用スイッチング素子４を電気的に接続しつつ、コンデンサ３に対して直列に切替用スイッチング素子４を接続している。これにより、主回路スイッチング素子１を駆動させる際に、切替用スイッチング素子４のスイッチング制御によって、主回路スイッチング素子１のゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【００４７】
また本実施形態では、切替用スイッチング素子４をオフにした状態で、主回路スイッチング素子１をターンオフさせる。これにより、主回路スイッチング素子１のゲート−ソース間の容量が小さくなるため、微分回路により、主回路スイッチング素子１のドレイン−ソース間の電圧変化に対して主回路スイッチング素子１のゲート電圧の低下が抑制される。その結果として、一定の速度以上のスイッチング動作を抑制しつつ、サージの発生を抑制しノイズを抑制できる。
【００４８】
また本実施形態では、切替用スイッチング素子４をオフにした状態で、主回路スイッチング素子１をターンオンさせる。これにより、主回路スイッチング素子１のゲート−ソース間の容量が小さくなり、主回路スイッチング素子１をターンオンさせる際には、ゲート−ソース間の電圧が高くなるため、ターンオン時のスイッチング速度を高速化させることができ、スイッチング素子の損失を低減できる。
【００４９】
また本実施形態では、コンデンサ３の容量がコンデンサ２の容量より大きくなっている。これにより、主回路スイッチング素子１のターンオフ時に、サージの発生を抑制できる。
【００５０】
《第３実施形態》
図５は、発明の他の実施形態に係るスイッチング回路装置の回路図である。本例では上述した第１実施形態に対して、主回路スイッチング素子１のゲート−ドレイン間、及び、ゲート−ソース間に、切替用スイッチング素子４の接続位置をそれぞれ接続する点が異なる。これ以外の構成は上述した第１実施形態と同じであり、第１実施形態及び第２実施形態の記載を、適宜援用する。
【００５１】
切替用スイッチング素子４Ａは、主回路スイッチング素子１のゲート端子Ｇとドレイン端子Ｄとの間で、コンデンサ２に対して直列に接続されている。切替用スイッチング素子４Ｂは、主回路スイッチング素子１のゲート端子Ｇとソース端子Ｓとの間で、コンデンサ３に対して直列に接続されている。切替用スイッチング素子４Ａ、４Ｂは、第１実施形態又は第２実施形態に係る切替用スイッチング素子４と同様の素子である。
【００５２】
次に、本実施形態に係るスイッチング回路装置の動作について、図６を用いて説明する。図６は、主回路スイッチング素子１の動作のタイムチャート、及び、切替用スイッチング素子４Ａ、４Ｂの動作のタイムチャートを示すグラフである。図６のグラフの横軸は時間を示し、縦軸は各スイッチング素子の状態を示している。
【００５３】
初期状態として、主回路スイッチング素子１はオン状態であり、切替用スイッチング素子４Ａはオン状態であり、切替用スイッチング素子４Ｂはオフ状態である。時間ｔ１の時点で、コントローラ２０は、切替用スイッチング素子４Ａをオン状態で、切替用スイッチング素子４Ｂをオフ状態で維持しつつ、主回路スイッチング素子１をターンオフさせる。
【００５４】
切替用スイッチング素子４Ａをオンにし、切替用スイッチング素子４Ｂをオフにした場合には、ゲート−ドレイン間の容量は大きく、ゲート−ソース間の容量は小さくなる。そのため、主回路スイッチング素子１のターンオン時に、コンデンサ２を含むバイパスラインが微分回路として作用する。この微分回路によって、ドレイン−ソース間の電圧変化に対して、ゲート電圧の低下が抑制される。主回路スイッチング素子１のターンオフ時には、高速なスイッチング動作によってドレイン−ソース間の電圧変化量が大きくなるが、ドレイン−ゲート間の微分回路の作用によってゲートの電荷の放電が抑制される。これにより、スイッチング速度が抑制され、サージの発生が抑制される。
【００５５】
時間ｔ１から時間ｔ２までの間に、コントローラ２０は、切替用スイッチング素子４Ａをオンからオフに切り替え、切替用スイッチング素子４Ｂをオフからオンに切り替える。
【００５６】
時間ｔ３の直前に、コントローラ２０は、主回路スイッチング素子１のオフ状態を維持しつつ、切替用スイッチング素子４Ａのオン動作及び切替用スイッチング素子４Ｂのオフ動作を開始する。時間ｔ３の時点で、切替用スイッチング素子４Ａはオフからオンへの過渡的な状態であり、切替用スイッチング素子４Ｂはオンからオフへの過渡的な状態である。切替用スイッチング素子４Ａのオン動作及び切替用スイッチング素子４Ｂのオフ動作は、時間ｔ３から時間ｔ４の間に終了する。
【００５７】
時間ｔ４の時点で、コントローラ２０は、切替用スイッチング素子４Ａをオン状態で維持し、かつ、切替用スイッチング素子４Ｂをオフ状態で維持しつつ、主回路スイッチング素子１をターンオンさせる。
【００５８】
主回路スイッチング素子１をターンオンさせる時に、切替用スイッチング素子４Ａはオンになっているため、ゲート−ドレイン間の容量は、切替用スイッチング素子４のオフ時の容量と比較して、大きくなる。また、主回路スイッチング素子１をターンオンさせる時に、切替用スイッチング素子４Ｂはオフになっているため、ゲート−ソース間の容量は、切替用スイッチング素子４Ｂのオン時の容量と比較して、小さくなる。そのため、ドレイン−ソース間の容量比で分圧されたゲート−ソース間の電圧が高くなる。これにより、主回路スイッチング素子１のターンオン時に、スイッチング速度が高速化し、スイッチング損失が低減される。
【００５９】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１及び切替用スイッチング素子４Ａ、４Ｂを制御する。なお、時間ｔ８以降のスイッチング制御は、時間ｔ１、ｔ２、ｔ３、ｔ４と同様である。
【００６０】
上記のように、本実施形態では、主回路スイッチング素子１の制御電極に切替用スイッチング素子４を電気的に接続しつつ、コンデンサ２に対して直列に切替用スイッチング素子４Ａを接続し、コンデンサ３に対して直列に切替用スイッチング素子４Ｂを接続している。これにより、主回路スイッチング素子１を駆動させる際に、切替用スイッチング素子４Ａ，４Ｂのスイッチング制御によって、主回路スイッチング素子１のゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【００６１】
また本実施形態では、切替用スイッチング素子４Ａをオンにし、切替用スイッチング素子４Ｂをオフにした状態で、主回路スイッチング素子１をターンオフさせる。これにより、主回路スイッチング素子１のゲート−ドレイン間の容量が大きくなり、ゲート−ソース間の容量が小さくなるため、微分回路により、主回路スイッチング素子１のドレイン−ソース間の電圧変化に対して主回路スイッチング素子１のゲート電圧の低下が抑制される。その結果として、一定の速度以上のスイッチング動作を抑制しつつ、サージの発生を抑制しノイズを抑制できる。
【００６２】
また本実施形態では、切替用スイッチング素子４Ａをオンにし、切替用スイッチング素子４Ｂをオフにした状態で、主回路スイッチング素子１をターンオンさせる。これにより、主回路スイッチング素子１のゲート−ドレイン間の容量が大きくなり、主回路スイッチング素子１のゲート−ソース間の容量が小さくなるため、主回路スイッチング素子１をターンオンさせる際には、ゲート−ソース間の電圧が高くなり、ターンオフ時のスイッチング速度を高速化させることができ、スイッチング素子の損失を低減できる。
【００６３】
上記の切替用スイッチング素子４Ａが本発明の「第１容量調整スイッチング素子」に相当し、切替用スイッチング素子４Ｂが本発明の「第２容量調整スイッチング素子」に相当する。
【００６４】
《第４実施形態》
図７は、発明の他の実施形態に係るスイッチング回路装置の回路図である。本例では上述した第１実施形態に係る主回路スイッチング素子の駆動回路を、上アーム回路１００及び下アーム回路２００にそれぞれ適用する点が異なる。これ以外の構成は上述した第１実施形態と同じであり、第１実施形態の記載を、適宜援用する。
【００６５】
本実施形態に係るスイッチング回路装置は、電力変換装置のアーム回路に適用される。電力変換装置は、例えば直流電源の電力を交流電力に変換し、当該交流電力を負荷に出力する変換回路である。変換回路は、複数のスイッチング素子をブリッジ状に接続した回路である。変換回路は、各相で、複数のトランジスタを直列に接続した回路であり、直列接続されたトランジスタの接続点が、各相の配線で負荷に接続されている。なお、以下の説明では、一相分のアーム回路にスイッチング回路装置を適用した例を説明するが、他の相のアーム回路も同様の構成及びスイッチング制御である。
【００６６】
上アーム回路１００は、主回路スイッチング素子１Ｂ、コンデンサ２、コンデンサ３及び切替用スイッチング素子４Ｃを有している。下アーム回路２００は、主回路スイッチング素子１Ａ、コンデンサ２、コンデンサ３及び切替用スイッチング素子４Ａを有している。上アーム回路１００と下アーム回路２００は直列に接続されている。各アーム回路を構成する回路素子の接続形態は、第１実施形態に係るスイッチング回路素子の接続形態と同様である。
【００６７】
次に、本実施形態に係るスイッチング回路装置の動作について、図８を用いて説明する。図８は、主回路スイッチング素子１Ａ、１Ｂの動作のタイムチャート、及び、切替用スイッチング素子４Ａ、４Ｃの動作のタイムチャートを示すグラフである。図８のグラフの横軸は時間を示し、縦軸は各スイッチング素子の状態を示している。
【００６８】
初期状態として、主回路スイッチング素子１Ａはオン状態であり、主回路スイッチング素子１Ｂはオフ状態であり、切替用スイッチング素子４Ａはオン状態であり、切替用スイッチング素子４Ｃはオフ状態である。
【００６９】
時間ｔ１の直前に、コントローラ２０は、主回路スイッチング素子１Ａのオン状態、主回路スイッチング素子１Ｂのオフ状態、及び、切替用スイッチング素子４Ａのオン状態を維持しつつ、切替用スイッチング素子４Ｃのオン動作を開始する。時間ｔ１の時点で、切替用スイッチング素子４Ａはオフからオンへの過渡的な状態である。切替用スイッチング素子４Ａのオン動作は、時間ｔ１から時間ｔ２の間に終了する。
【００７０】
時間ｔ１の時点で、切替用スイッチング素子４Ｃはハーフオンの状態となり、切替用スイッチング素子４Ｃの導通抵抗は、切替用スイッチング素子４Ｃのオン状態の抵抗値と、切替用スイッチング素子４Ｃのオフ状態の抵抗値との間の値になる。すなわち、コントローラ２０は、切替用スイッチング素子４Ｃを過渡状態にすることで、切替用スイッチング素子４Ｃの抵抗値を任意の抵抗値に設定できる。
【００７１】
そして、切替用スイッチング素子４Ｃを過渡状態（ハーフオンの状態）にすることで、コンデンサ２から切替用スイッチング素子４Ｃを介してコンデンサ３に繋がる回路がＣＲフィルタとして機能する。これにより、主回路スイッチング素子１Ａのターンオフ時に発生するノイズは、このＣＲフィルタによって抑制される。また、コントローラ２０は、ＣＲフィルタのカットオフ周波数が主回路の共振周波数になるように、切替用スイッチング素子４Ｃの導通抵抗を設定することで、主回路スイッチング素子１Ａのターンオフ時に発生するノイズを抑制できる。
【００７２】
また、切替用スイッチング素子４Ａをオンにした状態で、主回路スイッチング素子１Ａがターンオフになる。そのため、下アーム回路２００において、微分回路が作用し、主回路スイッチング素子１Ａのドレイン−ソース間の電圧変化に対して、ゲート電圧の低下が抑制される。これにより、スイッチング速度が抑制され、サージの発生が抑制される。
【００７３】
時間ｔ１から時間ｔ２の間に、コントローラ２０は、切替用スイッチング素子４Ａをオンからオフに切り替える。
【００７４】
時間ｔ２の時点で、コントローラ２０は、切替用スイッチング素子４Ａをオフ状態、切替用スイッチング素子４Ｃをオン状態及び主回路スイッチング素子１Ａをオフ状態で維持しつつ、主回路スイッチング素子１Ｂをターンオンさせる。このとき、切替用スイッチング素子４Ａはオフ状態であるため、主回路スイッチング素子１Ａの静電容量の割合（Ｃｇｓ／Ｃｇｄ）は大きくなる。静電容量の割合（Ｃｇｓ／Ｃｇｄ）は、主回路スイッチング素子１Ａのゲート−ドレイン間の静電容量に対するゲート−ソース間の静電容量の比である。そして、静電容量の割合（Ｃｇｓ／Ｃｇｄ）が大きくなると、主回路スイッチング素子１Ａはターンオンし難くなる。これにより、主回路スイッチング素子１Ｂのターンオン時において、主回路スイッチング素子１Ａの誤作動の可能性を低減できる。
【００７５】
時間ｔ３の直前に、コントローラ２０は、主回路スイッチング素子１Ａのオフ状態、主回路スイッチング素子１Ｂのオン状態、及び、切替用スイッチング素子４Ｃのオン状態を維持しつつ、切替用スイッチング素子４Ａのオン動作を開始する。時間ｔ３の時点で、切替用スイッチング素子４Ａはオフからオンへの過渡的な状態である。切替用スイッチング素子４Ａのオン動作は、時間ｔ３から時間ｔ４の間に終了する。
【００７６】
時間ｔ３の時点で、切替用スイッチング素子４Ａはハーフオンの状態となり、切替用スイッチング素子４Ａの導通抵抗は、切替用スイッチング素子４Ａのオン状態の抵抗値と、切替用スイッチング素子４Ａのオフ状態の抵抗値との間の値になる。切替用スイッチング素子４Ａを過渡状態（ハーフオンの状態）にすることで、コンデンサ２から切替用スイッチング素子４Ａを介してコンデンサ３に繋がる回路がＣＲフィルタとして機能する。これにより、主回路スイッチング素子１Ｂのターンオフ時に発生するノイズは、このＣＲフィルタによって抑制される。
【００７７】
また、切替用スイッチング素子４Ｃをオンにした状態で、主回路スイッチング素子１Ｂがターンオフになる。そのため、上アーム回路１００において、コンデンサ２を含むバイパスラインが微分回路として作用し、主回路スイッチング素子１Ｂのドレイン−ソース間の電圧変化に対して、ゲート電圧の低下が抑制される。これにより、スイッチング速度が抑制され、サージの発生が抑制される。
【００７８】
時間ｔ３から時間ｔ４の間に、コントローラ２０は、切替用スイッチング素子４Ａをオフからオンに切り替える。
【００７９】
時間ｔ４の時点で、コントローラ２０は、切替用スイッチング素子４Ａをオン状態、切替用スイッチング素子４Ｃをオフ状態及び主回路スイッチング素子１Ｂをオフ状態で維持しつつ、主回路スイッチング素子１Ａをターンオンさせる。このとき、切替用スイッチング素子４Ｃはオフ状態であるため、主回路スイッチング素子１Ｂの静電容量の割合（Ｃｇｓ／Ｃｇｄ）は大きくなる。静電容量の割合（Ｃｇｓ／Ｃｇｄ）は、主回路スイッチング素子１Ｂのゲート−ドレイン間の静電容量に対するゲート−ソース間の静電容量の比である。そして、静電容量の割合（Ｃｇｓ／Ｃｇｄ）が大きくなると、主回路スイッチング素子１Ｂはターンオンし難くなる。これにより、主回路スイッチング素子１Ａのターンオン時において、主回路スイッチング素子１Ｂの誤作動の可能性を低減できる。
【００８０】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１及び切替用スイッチング素子４を制御する。なお、時間ｔ８以降のスイッチング制御は、時間ｔ１、ｔ２、ｔ３、ｔ４と同様である。
【００８１】
上記のように、本実施形態では、上アーム回路１００において、主回路スイッチング素子１Ｂの制御電極に切替用スイッチング素子４Ｃを電気的に接続し、コンデンサ２に対して直列に切替用スイッチング素子４Ｃを接続している。また、下アーム回路２００において、主回路スイッチング素子１Ａの制御電極に切替用スイッチング素子４Ａを電気的に接続し、コンデンサ２に対して直列に切替用スイッチング素子４Ａを接続している。これにより、主回路スイッチング素子１Ａ又は主回路スイッチング素子１Ｂを駆動させる際に、切替用スイッチング素子４Ａ、４Ｃのスイッチング制御によって、主回路スイッチング素子１Ａ、１Ｂのゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【００８２】
また本実施形態において、コントローラ２０は、上アーム回路１００及び下アーム回路２００のうちいずれか一方のアーム回路に含まれる主回路スイッチング素子１Ａ、１Ｂをターンオフさせる場合には、上アーム回路１００及び下アーム回路２００のうち他方のアーム回路に含まれる切替用スイッチング素子４Ａ、４Ｃを過渡状態にする。これにより、主回路スイッチング素子１Ａ、１Ｂのターンオフ時に発生するノイズを、ＣＲフィルタ作用によって抑制できる。
【００８３】
また本実施形態において、コントローラ２０は、上アーム回路１００及び下アーム回路２００のうちいずれか一方のアーム回路に含まれる主回路スイッチング素子１Ａ、１Ｂをターンオフさせる場合には、当該一方のアーム回路に含まれる切替用スイッチング素子４Ａ、４Ｃをオン状態で維持させる。これにより、ターンオフする主回路スイッチング素子１Ａ、１Ｂにおいて、ゲート−ドレイン間の容量が大きくなり、ゲート−ソース間の容量が小さくなるため、微分回路の作用によって、主回路スイッチング素子１のドレイン−ソース間の電圧変化に対して主回路スイッチング素子１のゲート電圧の低下が抑制される。その結果として、一定の速度以上のスイッチング動作を抑制しつつ、サージの発生を抑制しノイズを抑制できる。
【００８４】
また本実施形態において、コントローラ２０は、上アーム回路１００及び下アーム回路２００のうちいずれか一方のアーム回路に含まれる主回路スイッチング素子１Ａ、１Ｂをターンオンさせる場合には、当該一方のアーム回路に含まれる切替用スイッチング素子４Ａ、４Ｃをオフ状態で維持させ、かつ、上アーム回路１００及び下アーム回路２００のうち他方のアーム回路に含まれる切替用スイッチング素子４Ａ、４Ｃをオン状態で維持させる。これにより、当該一方のアーム回路の含まれる主回路スイッチング素子１Ａ、１Ｂのターンオン時において、当該他方のアーム回路に含まれる主回路スイッチング素子１Ａ、１Ｂの誤作動の可能性を低減できる。
【００８５】
上記の切替用スイッチング素子４Ａ、４Ｃが本発明の「容量調整スイッチング素子」に相当する。
【００８６】
《第５実施形態》
図９は、発明の他の実施形態に係るスイッチング回路装置の回路図である。本例では上述した第２実施形態に係る主回路スイッチング素子の駆動回路を、上アーム回路１００及び下アーム回路２００にそれぞれ適用する点が異なる。これ以外の構成は上述した第２実施形態と同じであり、第２実施形態及び第４実施形態の記載を、適宜援用する。
【００８７】
上アーム回路１００は、主回路スイッチング素子１Ｂ、コンデンサ２、コンデンサ３及び切替用スイッチング素子４Ｄを有している。下アーム回路２００は、主回路スイッチング素子１Ａ、コンデンサ２、コンデンサ３及び切替用スイッチング素子４Ｂを有している。上アーム回路１００と下アーム回路２００は直列に接続されている。各アーム回路を構成する回路素子の接続形態は、第２実施形態に係るスイッチング回路素子の接続形態と同様である。
【００８８】
次に、本実施形態に係るスイッチング回路装置の動作について、図１０を用いて説明する。図１０は、主回路スイッチング素子１Ａ、１Ｂの動作のタイムチャート、及び、切替用スイッチング素子４Ｂ、４Ｄの動作のタイムチャートを示すグラフである。図１０のグラフの横軸は時間を示し、縦軸は各スイッチング素子の状態を示している。
【００８９】
初期状態として、主回路スイッチング素子１Ａはオン状態であり、主回路スイッチング素子１Ｂはオフ状態であり、切替用スイッチング素子４Ｂはオフ状態であり、切替用スイッチング素子４Ｄはオン状態である。
【００９０】
時間ｔ１の直前に、コントローラ２０は、主回路スイッチング素子１Ａのオン状態、主回路スイッチング素子１Ｂのオフ状態、及び、切替用スイッチング素子４Ｂのオフ状態を維持しつつ、切替用スイッチング素子４Ｄのオフ動作を開始する。時間ｔ１の時点で、切替用スイッチング素子４Ｄはオンからオフへの過渡的な状態である。切替用スイッチング素子４Ｄのオフ動作は、時間ｔ１から時間ｔ２の間に終了する。
【００９１】
時間ｔ１の時点で、切替用スイッチング素子４Ｄはハーフオンの状態となり、切替用スイッチング素子４Ｄの導通抵抗は、切替用スイッチング素子４Ｄのオン状態の抵抗値と、切替用スイッチング素子４Ｄのオフ状態の抵抗値との間の値になる。すなわち、コントローラ２０は、切替用スイッチング素子４Ｄを過渡状態にすることで、切替用スイッチング素子４Ｄの抵抗値を任意の抵抗値に設定できる。
【００９２】
切替用スイッチング素子４Ｄを過渡状態（ハーフオンの状態）にすることで、コンデンサ２から切替用スイッチング素子４Ｄを介してコンデンサ３に繋がる回路がＣＲフィルタとして機能する。これにより、主回路スイッチング素子１Ａのターンオフ時に発生するノイズは、このＣＲフィルタによって抑制される。また、コントローラ２０は、ＣＲフィルタのカットオフ周波数が主回路の共振周波数になるように、切替用スイッチング素子４Ｄの導通抵抗を設定することで、主回路スイッチング素子１Ａのターンオフ時に発生するノイズを抑制できる。
【００９３】
また、切替用スイッチング素子４Ｂをオフにした状態で、主回路スイッチング素子１Ａがターンオフになる。そのため、下アーム回路２００において、微分回路が作用し、主回路スイッチング素子１Ａのドレイン−ソース間の電圧変化に対して、ゲート電圧の低下が抑制される。これにより、スイッチング速度が抑制され、サージの発生が抑制される。
【００９４】
時間ｔ１から時間ｔ２の間に、コントローラ２０は、切替用スイッチング素子４Ｂをオフからオンに切り替える。
【００９５】
時間ｔ２の時点で、コントローラ２０は、切替用スイッチング素子４Ｂをオン状態、切替用スイッチング素子４Ｄをオフ状態及び主回路スイッチング素子１Ａをオフ状態で維持しつつ、主回路スイッチング素子１Ｂをターンオンさせる。このとき、切替用スイッチング素子４Ｂはオン状態であるため、主回路スイッチング素子１Ａの静電容量の割合（Ｃｇｓ／Ｃｇｄ）は大きくなる。そして、静電容量の割合（Ｃｇｓ／Ｃｇｄ）が大きくなると、主回路スイッチング素子１Ａはターンオンし難くなる。これにより、主回路スイッチング素子１Ｂのターンオン時において、主回路スイッチング素子１Ａの誤作動の可能性を低減できる。
【００９６】
時間ｔ３の直前に、コントローラ２０は、主回路スイッチング素子１Ａのオフ状態、主回路スイッチング素子１Ｂのオン状態、及び、切替用スイッチング素子４Ｄのオフ状態を維持しつつ、切替用スイッチング素子４Ｂのオン動作を開始する。時間ｔ３の時点で、切替用スイッチング素子４Ｂはオンからオフへの過渡的な状態である。切替用スイッチング素子４Ｂのオフ動作は、時間ｔ３から時間ｔ４の間に終了する。
【００９７】
時間ｔ３の時点で、切替用スイッチング素子４Ｂはハーフオンの状態となり、切替用スイッチング素子４Ｂの導通抵抗は、切替用スイッチング素子４Ｂのオン状態の抵抗値と、切替用スイッチング素子４Ｂのオフ状態の抵抗値との間の値になる。切替用スイッチング素子４Ｂを過渡状態（ハーフオンの状態）にすることで、コンデンサ２から切替用スイッチング素子４Ｂを介してコンデンサ３に繋がる回路がＣＲフィルタとして機能する。これにより、主回路スイッチング素子１Ｂのターンオフ時に発生するノイズは、このＣＲフィルタによって抑制される。
【００９８】
また、切替用スイッチング素子４Ｄをオフにした状態で、主回路スイッチング素子１Ｂがターンオフになる。そのため、上アーム回路１００において、微分回路が作用し、主回路スイッチング素子１Ａのドレイン−ソース間の電圧変化に対して、ゲート電圧の低下が抑制される。これにより、スイッチング速度が抑制され、サージの発生が抑制される。
【００９９】
時間ｔ３から時間ｔ４の間に、コントローラ２０は、切替用スイッチング素子４Ｄをオフからオンに切り替える。
【０１００】
時間ｔ４の時点で、コントローラ２０は、切替用スイッチング素子４Ｂをオフ状態、切替用スイッチング素子４Ｄをオン状態及び主回路スイッチング素子１Ｂをオフ状態で維持しつつ、主回路スイッチング素子１Ａをターンオンさせる。このとき、切替用スイッチング素子４Ｄはオン状態であるため、主回路スイッチング素子１Ｂの静電容量の割合（Ｃｇｓ／Ｃｇｄ）は大きくなる。そして、静電容量の割合（Ｃｇｓ／Ｃｇｄ）が大きくなると、主回路スイッチング素子１Ｂはターンオンし難くなる。これにより、主回路スイッチング素子１Ａのターンオン時において、主回路スイッチング素子１Ｂの誤作動の可能性を低減できる。
【０１０１】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１Ａ、１Ｂ及び切替用スイッチング素子４Ｂ、４Ｄを制御する。なお、時間ｔ８以降のスイッチング制御は、時間ｔ１、ｔ２、ｔ３、ｔ４と同様である。
【０１０２】
上記のように、本実施形態では、上アーム回路１００において、主回路スイッチング素子１Ｂの制御電極に切替用スイッチング素子４Ｄを電気的に接続し、コンデンサ３に対して直列に切替用スイッチング素子４Ｄを接続している。また、下アーム回路２００において、主回路スイッチング素子１Ｂの制御電極に切替用スイッチング素子４Ｂを電気的に接続し、コンデンサ３に対して直列に切替用スイッチング素子４Ｂを接続している。これにより、主回路スイッチング素子１Ａ又は主回路スイッチング素子１Ｂを駆動させる際に、切替用スイッチング素子４Ｂ、４Ｄのスイッチング制御によって、主回路スイッチング素子１Ａ、１Ｂのゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【０１０３】
また本実施形態において、コントローラ２０は、上アーム回路１００及び下アーム回路２００のうちいずれか一方のアーム回路に含まれる主回路スイッチング素子１Ａ、１Ｂをターンオフさせる場合には、上アーム回路１００及び下アーム回路２００のうち他方のアーム回路に含まれる切替用スイッチング素子４Ｂ、４Ｄを過渡状態にする。これにより、主回路スイッチング素子１Ａ、１Ｂのターンオフ時に発生するノイズを、ＣＲフィルタ作用によって抑制できる。
【０１０４】
また本実施形態において、コントローラ２０は、上アーム回路１００及び下アーム回路２００のうちいずれか一方のアーム回路に含まれる主回路スイッチング素子１Ａ、１Ｂをターンオフさせる場合には、当該一方のアーム回路に含まれる切替用スイッチング素子４Ｂ、４Ｄをオフ状態で維持させる。これにより、ターンオフする主回路スイッチング素子１Ａ、１Ｂにおいて、微分回路の作用によって、主回路スイッチング素子１のドレイン−ソース間の電圧変化に対して主回路スイッチング素子１のゲート電圧の低下が抑制される。その結果として、一定の速度以上のスイッチング動作を抑制しつつ、サージの発生を抑制しノイズを抑制できる。
【０１０５】
また本実施形態において、コントローラ２０は、上アーム回路１００及び下アーム回路２００のうちいずれか一方のアーム回路に含まれる主回路スイッチング素子１Ａ、１Ｂをターンオンさせる場合には、当該一方のアーム回路に含まれる切替用スイッチング素子４Ｂ、４Ｄをオフ状態で維持させ、かつ、上アーム回路１００及び下アーム回路２００のうち他方のアーム回路に含まれる切替用スイッチング素子４Ｂ、４Ｄをオン状態で維持させる。これにより、当該一方のアーム回路の含まれる主回路スイッチング素子１Ａ、１Ｂのターンオン時において、当該他方のアーム回路に含まれる主回路スイッチング素子１Ａ、１Ｂの誤作動の可能性を低減できる。
【０１０６】
上記の切替用スイッチング素子４Ｂ、４Ｄが本発明の「容量調整スイッチング素子」に相当する。
【０１０７】
《第６実施形態》
図１１は、発明の他の実施形態に係るスイッチング回路装置の回路図である。本例では上述した第３実施形態に係る主回路スイッチング素子の駆動回路を、上アーム回路１００及び下アーム回路２００にそれぞれ適用する点が異なる。これ以外の構成は上述した第３実施形態と同じであり、第３〜第５実施形態の記載を、適宜援用する。
【０１０８】
上アーム回路１００は、主回路スイッチング素子１Ｂ、コンデンサ２、コンデンサ３及び切替用スイッチング素子４Ｃ、４Ｄを有している。下アーム回路２００は、主回路スイッチング素子１Ａ、コンデンサ２、コンデンサ３及び切替用スイッチング素子４Ａ、４Ｂを有している。上アーム回路１００と下アーム回路２００は直列に接続されている。各アーム回路を構成する回路素子の接続形態は、第３実施形態に係るスイッチング回路素子の接続形態と同様である。
【０１０９】
次に、本実施形態に係るスイッチング回路装置の動作について、図１２を用いて説明する。図１２は、主回路スイッチング素子１Ａ、１Ｂの動作のタイムチャート、及び、切替用スイッチング素子４Ａ〜４Ｄの動作のタイムチャートを示すグラフである。図１２のグラフの横軸は時間を示し、縦軸は各スイッチング素子の状態を示している。
【０１１０】
初期状態として、主回路スイッチング素子１Ａはオン状態であり、主回路スイッチング素子１Ｂはオフ状態であり、切替用スイッチング素子４Ｂ、４Ｃはオフ状態であり、切替用スイッチング素子４Ａ、４Ｄはオン状態である。
【０１１１】
時間ｔ１の直前に、コントローラ２０は、主回路スイッチング素子１Ａのオン状態、主回路スイッチング素子１Ｂのオフ状態、切替用スイッチング素子４Ａのオン状態、及び、切替用スイッチング素子４Ｂのオフ状態を維持しつつ、切替用スイッチング素子４Ｃのオン動作及び切替用スイッチング素子４Ｄのオフ動作を開始する。時間ｔ１の時点で、切替用スイッチング素子４Ｃはオフからオンへの過渡的な状態であり、切替用スイッチング素子４Ｄはオンからオフへの過渡的な状態である。切替用スイッチング素子４Ｃのオン動作及び切替用スイッチング素子４Ｄのオフ動作は、時間ｔ１から時間ｔ２の間に終了する。
【０１１２】
時間ｔ１の時点で、切替用スイッチング素子４Ｃ、４Ｄはハーフオンの状態となる。
【０１１３】
切替用スイッチング素子４Ｃ、４Ｄを過渡状態（ハーフオンの状態）にすることで、コンデンサ２から切替用スイッチング素子４Ｃ、４Ｄを介してコンデンサ３に繋がる回路がＣＲフィルタとして機能する。これにより、主回路スイッチング素子１Ａのターンオフ時に発生するノイズは、このＣＲフィルタによって抑制される。
【０１１４】
コントローラ２０は、ＣＲフィルタのカットオフ周波数が主回路の共振周波数になるように、切替用スイッチング素子４Ｃの導通抵抗及び切替用スイッチング素子４Ｄの導通抵抗を設定することで、主回路スイッチング素子１Ａのターンオフ時に発生するノイズを抑制できる。
【０１１５】
また、切替用スイッチング素子４Ａをオンにした状態及び切替用スイッチング素子４Ｂをオフにした状態で、主回路スイッチング素子１Ａがターンオフになる。そのため、下アーム回路２００において、微分回路が作用し、主回路スイッチング素子１Ａのドレイン−ソース間の電圧変化に対して、ゲート電圧の低下が抑制される。これにより、スイッチング速度が抑制され、サージの発生が抑制される。
【０１１６】
時間ｔ１から時間ｔ２の間に、コントローラ２０は、切替用スイッチング素子４Ａをオンからオフに切り替え、切替用スイッチング素子４Ｂをオフからオンに切り替える。
【０１１７】
時間ｔ２の時点で、コントローラ２０は、切替用スイッチング素子４Ａ、４Ｄをオフ状態、切替用スイッチング素子４Ｂ、４Ｃをオン状態及び主回路スイッチング素子１Ａをオフ状態で維持しつつ、主回路スイッチング素子１Ｂをターンオンさせる。このとき、切替用スイッチング素子４Ａはオフ状態であり、切替用スイッチング素子４Ｂはオン状態であるため、主回路スイッチング素子１Ａの静電容量の割合（Ｃｇｓ／Ｃｇｄ）は大きくなる。そして、静電容量の割合（Ｃｇｓ／Ｃｇｄ）が大きくなると、主回路スイッチング素子１Ｂはターンオンし難くなる。これにより、主回路スイッチング素子１Ｂのターンオン時において、主回路スイッチング素子１Ａの誤作動の可能性を低減できる。
【０１１８】
時間ｔ３の直前に、コントローラ２０は、主回路スイッチング素子１Ａのオフ状態、主回路スイッチング素子１Ｂのオン状態、切替用スイッチング素子４Ｃのオン状態、及び、切替用スイッチング素子４Ｄのオフ状態を維持しつつ、切替用スイッチング素子４Ａのオン動作及び切替用スイッチング素子４Ｂのオフ動作を開始する。時間ｔ３の時点で、切替用スイッチング素子４Ａ、４Ｂは過渡的な状態である。切替用スイッチング素子４Ａのオン動作及び切替用スイッチング素子４Ｂのオフ動作は、時間ｔ３から時間ｔ４の間に終了する。
【０１１９】
時間ｔ３の時点で、切替用スイッチング素子４Ａ、４Ｂはハーフオンの状態となる。切替用スイッチング素子４Ａ、４Ｂを過渡状態（ハーフオンの状態）にすることで、コンデンサ２から切替用スイッチング素子４Ａ、４Ｂを介してコンデンサ３に繋がる回路がＣＲフィルタとして機能する。これにより、主回路スイッチング素子１Ｂのターンオフ時に発生するノイズは、このＣＲフィルタによって抑制される。
【０１２０】
コントローラ２０は、ＣＲフィルタのカットオフ周波数が主回路の共振周波数になるように、切替用スイッチング素子４Ａの導通抵抗及び切替用スイッチング素子４Ｂの導通抵抗を設定することで、主回路スイッチング素子１Ｂのターンオフ時に発生するノイズを抑制できる。
【０１２１】
また、切替用スイッチング素子４Ｃをオンにした状態、及び、切替用スイッチング素子４Ｄをオフにした状態で、主回路スイッチング素子１Ｂがターンオフになる。そのため、上アーム回路１００において、微分回路が作用し、主回路スイッチング素子１Ａのドレイン−ソース間の電圧変化に対して、ゲート電圧の低下が抑制される。これにより、スイッチング速度が抑制され、サージの発生が抑制される。
【０１２２】
時間ｔ３から時間ｔ４の間に、コントローラ２０は、切替用スイッチング素子４Ｂをオンからオフに切り替え、切替用スイッチング素子４Ａをオフからオンに切り替える。
【０１２３】
時間ｔ４の時点で、コントローラ２０は、切替用スイッチング素子４Ａ、４Ｄをオン状態、切替用スイッチング素子４Ｂ、４Ｃをオフ状態及び主回路スイッチング素子１Ｂをオフ状態で維持しつつ、主回路スイッチング素子１Ａをターンオンさせる。このとき、切替用スイッチング素子４Ｃはオフ状態であり、切替用スイッチング素子４Ｄはオン状態であるため、主回路スイッチング素子１Ｂの静電容量の割合（Ｃｇｓ／Ｃｇｄ）は大きくなる。静電容量の割合（Ｃｇｓ／Ｃｇｄ）は、主回路スイッチング素子１Ｂのゲート−ドレイン間の静電容量に対するゲート−ソース間の静電容量の比である。そして、静電容量の割合（Ｃｇｓ／Ｃｇｄ）が大きくなると、主回路スイッチング素子１Ａはターンオンし難くなる。これにより、主回路スイッチング素子１Ａのターンオン時において、主回路スイッチング素子１Ｂの誤作動の可能性を低減できる。
【０１２４】
コントローラ２０は、時間ｔ５、ｔ６、ｔ７、ｔ８の時点で、時間ｔ１、ｔ２、ｔ３、ｔ４の時点と同様なそれぞれのスイッチング制御で、主回路スイッチング素子１Ａ、１Ｂ及び切替用スイッチング素子４Ａ〜４Ｄを制御する。なお、時間ｔ８以降のスイッチング制御は、時間ｔ１、ｔ２、ｔ３、ｔ４と同様である。
【０１２５】
上記のように、本実施形態では、上アーム回路１００において、主回路スイッチング素子１Ｂの制御電極に切替用スイッチング素子４Ｃ、４Ｄを電気的に接続し、コンデンサ２に対して直列に切替用スイッチング素子４Ｃを接続し、コンデンサ３に対して直列に切替用スイッチング素子４Ｄを接続している。また、下アーム回路２００において、主回路スイッチング素子１Ｂの制御電極に切替用スイッチング素子４Ａ、４Ｂを電気的に接続し、コンデンサ２に対して直列に切替用スイッチング素子４Ａを接続し、コンデンサ３に対して直列に切替用スイッチング素子４Ｂを接続している。これにより、主回路スイッチング素子１Ａ又は主回路スイッチング素子１Ｂを駆動させる際に、切替用スイッチング素子４Ａ〜４Ｄのスイッチング制御によって、主回路スイッチング素子１Ａ、１Ｂのゲート容量を調整できるため、サージを低減できる。そして、サージの低減により、主回路の電流経路における電流振幅のリンギング及び電圧振幅のリンギングを抑制できる。その結果として、ノイズの発生を抑制できる。
【０１２６】
《第７実施形態》
図１３は、発明の他の実施形態に係るスイッチング回路装置の回路図である。本例では上述した第３実施形態に対して、主回路スイッチング素子１Ａ及び切替用スイッチング素子４Ａ、４Ｂのオン、オフのタイミングを調整するための回路が組み込まれている点が異なる。これ以外の構成は上述した第３実施形態と同じであり、第１〜第３実施形態の記載を、適宜援用する。
【０１２７】
切替用スイッチング素子４Ａと切替用スイッチング素子４Ｂとの接続点と、主回路スイッチング素子１のゲート端子Ｇとの間には、タイミング調整回路５０が接続されている。
【０１２８】
タイミング調整回路５０は、抵抗５１とダイオード５２との直列回路と、抵抗５３とダイオード５４との直列回路とを並列に接続した回路である。このとき、ダイオード５２の順方向と、ダイオード５４との順方向が互いに逆向きになるように、それぞれの直列回路が並列に接続されている。
【０１２９】
切替用スイッチング素子４ＡにはＮＰＮトランジスタが用いられ、切替用スイッチング素子４ＢにはＰＮＰトランジスタが用いられている。タイミング調整回路６０は、切替用スイッチング素子４Ａ、４Ｂのオン、オフのタイミングを調整する回路である。タイミング調整回路６０の一端は、信号発生器１０と主回路スイッチング素子１のゲート端子Ｇとの間を接続する制御用配線に接続されている。タイミング調整回路６０の他端は、切替用スイッチング素子４Ａの制御端子及び切替用スイッチング素子４Ｂの制御端子にそれぞれ接続されている。
【０１３０】
タイミング調整回路６０は、抵抗６１とダイオード６２との直列回路と、抵抗６３とダイオード６４との直列回路とを並列に接続した回路である。このとき、ダイオード６２の順方向と、ダイオード６４との順方向が互いに逆向きになるように、それぞれの直列回路が並列に接続されている。
【０１３１】
信号発生器１０で発生したゲート信号は、タイミング調整回路５０を介してゲート端子に入力しつつ、タイミング調整回路６０を介して切替用スイッチング素子４Ａの制御端子及び切替用スイッチング素子４Ｂの制御端子にも入力される。すなわち、コントローラ２０は、同じ制御信号（ゲート信号）により、主回路スイッチング素子１のスイッチング動作と、切替用スイッチング素子４Ａ、４Ｂのスイッチング動作を制御している。
【０１３２】
これにより、本実施形態では、スイッチング動作の高速化及びスイッチング周期の高速化に対して、複雑な制御回路等を追加することなく、本実施形態におけるスイッチング制御を実現できる。
【０１３３】
なお、本実施形態に係るタイミング調整回路５０、６０は、第４〜第６実施形態に係るスイッチング回路装置に適用されてもよい。
【０１３４】
《第８実施形態》
図１４は、発明の他の実施形態に係るスイッチング回路装置の回路図である。本例では上述した第３実施形態に対して、主回路スイッチング素子１Ａ及び切替用スイッチング素子４Ａ、４Ｂの制御端子と、信号発生器１０との間を接続する回路構成が異なる。これ以外の構成は上述した第３実施形態と同じであり、第１〜第３実施形態の記載を、適宜援用する。
【０１３５】
図１４に示すように、主回路スイッチング素子１のゲート端子には、ＮＰＮトランジスタ８１とＰＮＰトランジスタ８２で構成されるプッシュプル回路が接続されている。信号発生器１０に接続された制御用の信号線は分岐してＮＰＮトランジスタ８１のベースとＰＮＰトランジスタ８２のベースに接続されている。ＮＰＮトランジスタ８１の制御信号とＰＮＰトランジスタ８２の制御信号は、共通の信号となる。
【０１３６】
ＮＰＮトランジスタ８１のコレクタには、電源８３が接続されている。ＰＮＰトランジスタ８２のコレクタは、電源８３に接続されたグランド線に接続されている。また、ＮＰＮトランジスタ８１エミッタとＰＮＰトランジスタ８２のエミッタとの接続点は、ゲート端子Ｇに接続されている。
【０１３７】
切替用スイッチング素子４ＡにはＮＰＮトランジスタが用いられ、切替用スイッチング素子４ＢにはＰＮＰトランジスタが用いられている。
【０１３８】
これにより、本実施形態では、２つの切替用スイッチング素子４Ａ、４Ｂの動きを共通の電気信号で制御することが可能となり、構成部品および制御の簡素化が可能である。
【符号の説明】
【０１３９】
１、１Ａ、１Ｂ…主回路スイッチング素子
１Ｂ  主回路スイッチング素子
２、３…コンデンサ
４、４Ａ〜４Ｄ…切替用スイッチング素子
１０…信号発生器
２０…コントローラ
５０、６０…タイミング調整回路
１００…上アーム回路
２００…下アーム回路
【図１】
0006627351.tif 000002
【図２】
0006627351.tif 000003
【図３】
0006627351.tif 000004
【図４】
0006627351.tif 000005
【図５】
0006627351.tif 000006
【図６】
0006627351.tif 000007
【図７】
0006627351.tif 000008
【図８】
0006627351.tif 000009
【図９】
0006627351.tif 000010
【図１０】
0006627351.tif 000011
【図１１】
0006627351.tif 000012
【図１２】
0006627351.tif 000013
【図１３】
0006627351.tif 000014
【図１４】
0006627351.tif 000015